【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
除湿ユニットであって：
一次計量装置と；
二次計量装置と；
二次エバポレータであって：
前記一次計量装置から冷媒の流れを受けるように動作可能であり；且つ
吸入空気流を受け、第１の空気流を排出するように動作可能であり、前記第１の空気流は前記吸入空気流より冷たい空気を含み、前記第１の空気流は、前記吸入空気流が前記二次エバポレータを通過するとき、前記吸入空気流から前記冷媒の流れに熱を伝達することによって生成される；
二次エバポレータと：
一次エバポレータであって：
前記二次計量装置から前記冷媒の流れを受けるように動作可能であり；且つ
前記第１の空気流を受け、第２の空気流を排出するように動作可能であり、前記第２の空気流は前記第１の空気流より冷たい空気を含み、前記第２の空気流は、前記第１の空気流が前記一次エバポレータを通過するとき、前記第１の空気流から前記冷媒の流れに熱を伝達することによって生成される；
一次エバポレータと；
二次コンデンサであって：
前記二次エバポレータから前記冷媒の流れを受けるように動作可能であり；且つ
前記第２の空気流を受け、除湿空気流を排出するように動作可能であり、前記除湿空気流は、前記第２の空気流より相対湿度の低い暖かい空気を含み、前記除湿空気流は、前記第２の空気流が前記二次コンデンサを通過するとき、前記冷媒の流れから前記除湿空気流に熱を伝達することによって生成される；
二次コンデンサと：
前記吸入空気流、前記第１の空気流、前記第２の空気流、および前記除湿空気流を生成するように動作可能である第１のファンと；
を有する、除湿ユニット；並びに
第２のファン、サブクーリングコイル、一次コンデンサ、及びコンプレッサを有するコンデンサユニットであって：
前記第２のファンは、第３の空気流を生成するように動作可能であり；
前記サブクーリングコイルは：
一次コンデンサから前記冷媒の流れを受け；
前記一次計量装置に前記冷媒の流れを排出し；
前記第３の空気流が前記サブクーリングコイルに接触するとき前記冷媒の流れから前記第３の空気流に熱を伝達する；
ように動作可能であり；
前記一次コンデンサは：
コンプレッサから前記冷媒の流れを受け；
前記第３の空気流が前記一次コンデンサに接触するとき前記冷媒の流れから前記第３の空気流に熱を伝達する；
ように動作可能であり；
前記コンプレッサは、前記一次エバポレータから前記冷媒の流れを受け且つ前記一次コンデンサに前記冷媒の流れを供給するように動作可能であり、前記一次コンデンサに供給される前記冷媒の流れは、前記コンプレッサで受けられる前記冷媒の流れより高い圧力を有する；
コンデンサユニット；を有する、
除湿システム。
【請求項２】
前記サブクーリングコイルおよび前記一次コンデンサは、単一のコイルユニットに組み合わされる、
請求項１に記載の除湿システム。
【請求項３】
前記二次エバポレータ、前記一次エバポレータ、および前記二次コンデンサからなるグループから選択される２以上の部材が単一のコイルパックに組み合わされる、
請求項１に記載の除湿システム。
【請求項４】
前記一次エバポレータおよび前記二次エバポレータのうちの少なくとも１つは、前記冷媒の流れのための２以上の回路を有する、
請求項１に記載の除湿システム。
【請求項５】
前記一次エバポレータおよび前記二次エバポレータのうちの少なくとも１つへの細分された前記冷媒の流れを供給するように動作可能な受動計量装置および能動計量装置のうちの少なくとも１つを有する、
請求項４に記載の除湿システム。
【請求項６】
前記一次計量装置および前記二次計量装置は、前記一次エバポレータおよび前記二次エバポレータへの細分された前記冷媒の流れを供給するように動作可能である、
請求項４に記載の除湿システム。
【請求項７】
前記第２のファンは、前記第１のファンによって生成される前記第１の空気流の空気流量より約２倍から約５倍の間の空気流量で前記第３の空気流を生成するように動作可能である、
請求項１に記載の除湿システム。
【請求項８】
前記二次計量装置は、実質的に開放状態で動作する、
請求項１に記載の除湿システム。
【手続補正２】
【補正対象書類名】明細書
【補正対象項目名】００９１
【補正方法】変更
【補正の内容】
【００９１】
本明細書において、「または」は、明示的に別段の指示がない限りまたは文脈上別段の指示がない限り、包括的であり、排他的ではない。従って、本明細書において、「ＡまたはＢ」とは、明示的に別段の指示がない限りまたは文脈上別段の指示がない限り、「Ａ、Ｂ、またはその両方」を意味する。さらに、「および」は、別段の明示がない限りまたは文脈上別段の指示がない限り、連帯および個別の両方である。したがって、本明細書において、「ＡおよびＢ」は、明示的に別段の指示がない限り、または文脈上別段の指示がない限り、「ＡおよびＢを、連体的にまたは個別的に」意味する。本開示の範囲は、当業者が理解するであろう、本明細書に記載または図示された例示的な実施形態に対するすべての変更、置換、変形、改変、および修正を包含する。本開示の範囲は、本明細書に記載または図示された例示的な実施形態に限定されない。さらに、本開示は、本明細書中の各実施形態を、特定の構成要素、要素、特徴、機能、動作、またはステップを含むものとして記載し、説明するが、これらの実施形態のいずれかは、本明細書のいずれかの箇所に記載または図示した構成要素、要素、特徴、機能、動作、またはステップのいずれかの任意の組み合わせまたは置換を含み得、このことは、当業者が理解するであろう。さらに、特定の機能を実行するように適合される、配置される、可能である、構成にされる、可能にされる、作動可能である、又は動作する装置若しくはシステム、又は装置若しくはシステムの構成要素への添付の特許請求の範囲における言及は、可能であるか否かを問わず、その装置、システム、または構成要素が、そのように適合され、配置され、可能であり、構成され、可能にされ、作動可能であり、又は動作する限り、その特定の機能が起動、オン、またはロック解除されているか否かを問わず、その装置、システム、構成要素を包含する。加えて、本開示は、特定の実施形態を特定の利点を提供するものとして説明または図示するが、特定の実施形態は、これらの利点の何れも提供しない、いくつかを提供する、またはすべてを提供することができる。
また、次の付記を記す。
（付記１）  除湿ユニットであって：
一次計量装置と；
二次計量装置と；
二次エバポレータであって：
前記一次計量装置から冷媒の流れを受けるように動作可能であり；且つ
吸入空気流を受け、第１の空気流を排出するように動作可能であり、前記第１の空気流は前記吸入空気流より冷たい空気を含み、前記第１の空気流は、前記吸入空気流が前記二次エバポレータを通過するとき、前記吸入空気流から前記冷媒の流れに熱を伝達することによって生成される；
二次エバポレータと：
一次エバポレータであって：
前記二次計量装置から前記冷媒の流れを受けるように動作可能であり；且つ
前記第１の空気流を受け、第２の空気流を排出するように動作可能であり、前記第２の空気流は前記第１の空気流より冷たい空気を含み、前記第２の空気流は、前記第１の空気流が前記一次エバポレータを通過するとき、前記第１の空気流から前記冷媒の流れに熱を伝達することによって生成される；
一次エバポレータと；
二次コンデンサであって：
前記二次エバポレータから前記冷媒の流れを受けるように動作可能であり；且つ
前記第２の空気流を受け、除湿空気流を排出するように動作可能であり、前記除湿空気流は、前記第２の空気流より暖かく且つ湿度の低い空気を含み、前記除湿空気流は、前記第２の空気流が前記二次コンデンサを通過するとき、前記冷媒の流れから前記除湿空気流に熱を伝達することによって生成される；
二次コンデンサと：
前記吸入空気流、前記第１の空気流、前記第２の空気流、および前記除湿空気流を生成するように動作可能である第１のファンと；
を有する、除湿ユニット；並びに
コンデンサユニットであって：
第３の空気流を生成するように動作可能な第２のファンと；
サブクーリングコイルであって：
一次コンデンサから前記冷媒の流れを受け；
前記一次計量装置に前記冷媒の流れを排出し；
前記第３の空気流が前記サブクーリングコイルに接触するとき前記冷媒の流れから前記第３の空気流に熱を伝達する；
ように動作可能である、サブクーリングコイルと；
前記一次コンデンサであって：
コンプレッサから前記冷媒の流れを受け；
前記第３の空気流が前記一次コンデンサに接触するとき前記冷媒の流れから前記第３の空気流に熱を伝達する；
ように動作可能である、前記一次コンデンサと；
前記コンプレッサであって、前記一次エバポレータから前記冷媒の流れを受け且つ前記一次コンデンサに前記冷媒の流れを供給するように動作可能であり、前記一次コンデンサに供給される前記冷媒の流れは、前記コンプレッサで受けられる前記冷媒の流れより高い圧力を有する、前記コンプレッサと；
を有する、コンデンサユニット；を有する、
除湿システム。
（付記２）  前記サブクーリングコイルおよび前記一次コンデンサは、単一のコイルユニットに組み合わされる、
付記１に記載の除湿システム。
（付記３）  前記二次エバポレータ、前記一次エバポレータ、および前記二次コンデンサからなるグループから選択される２以上の部材が単一のコイルパックに組み合わされる、
付記１に記載の除湿システム。
（付記４）  前記一次エバポレータおよび前記二次エバポレータのうちの少なくとも１つは、前記冷媒の流れのための２以上の回路を有する、
付記１に記載の除湿システム。
（付記５）  前記一次エバポレータおよび前記二次エバポレータのうちの少なくとも１つへの細分された前記冷媒の流れを供給するように動作可能な受動計量装置および能動計量装置のうちの少なくとも１つを有する、
付記４に記載の除湿システム。
（付記６）  前記一次計量装置および前記二次計量装置は、前記一次エバポレータおよび前記二次エバポレータのうちの少なくとも１つへの細分された前記冷媒の流れを供給するように動作可能である、
付記４に記載の除湿システム。
（付記７）  前記第２のファンは、前記第１のファンによって生成される前記第１の空気流の空気流量より約２倍から約５倍の間の空気流量で前記第３の空気流を生成するように動作可能である、
付記１に記載の除湿システム。
（付記８）  前記二次計量装置は、実質的に開放状態で動作する、
付記１に記載の除湿システム。
（付記９）  除湿ユニットであって：
一次計量装置と；
二次計量装置と；
二次エバポレータであって：
前記一次計量装置から冷媒の流れを受けるように動作可能であり；且つ
吸入空気流を受け、第１の空気流を排出するように動作可能であり、前記第１の空気流は前記吸入空気流より冷たい空気を含み、前記第１の空気流は、前記吸入空気流が前記二次エバポレータを通過するとき、前記吸入空気流から前記冷媒の流れに熱を伝達することによって生成される；
二次エバポレータと：
一次エバポレータであって：
前記二次計量装置から前記冷媒の流れを受けるように動作可能であり；且つ
前記第１の空気流を受け、第２の空気流を排出するように動作可能であり、前記第２の空気流は前記第１の空気流より冷たい空気を含み、前記第２の空気流は、前記第１の空気流が前記一次エバポレータを通過するとき、前記第１の空気流から前記冷媒の流れに熱を伝達することによって生成される；
一次エバポレータと；
二次コンデンサであって：
前記二次エバポレータから前記冷媒の流れを受けるように動作可能であり；且つ
前記第２の空気流を受け、第３の空気流を排出するように動作可能であり、前記第３の空気流は、前記第２の空気流より暖かく且つ湿度の低い空気を含み、前記第３の空気流は、前記第２の空気流が前記二次コンデンサを通過するとき、前記冷媒の流れから前記第３の空気流に熱を伝達することによって生成される；
二次コンデンサと：
サブクーリングコイルであって：
一次コンデンサから前記冷媒の流れを受けるように動作可能であり；
前記一次計量装置に前記冷媒の流れを排出するように動作可能であり；
前記第３の空気流を受け、除湿空気流を排出するように動作可能であり、前記除湿空気流は、前記第３の空気流より暖かく且つ湿度の低い空気を含み、前記除湿空気流は、前記第３の空気流が前記サブクーリングコイルを通過するとき、前記冷媒の流れから前記除湿空気流に熱を伝達することによって生成される；
サブクーリングコイルと；
前記吸入空気流、前記第１の空気流、前記第２の空気流、前記第３の空気流、および前記除湿空気流を生成するように動作可能である第１のファンと；
を有する、除湿ユニット；並びに
コンデンサユニットであって：
第４の空気流を生成するように動作可能な第２のファンと；
サブクーリングコイルであって：
前記一次コンデンサから前記冷媒の流れを受け；
前記一次計量装置に前記冷媒の流れを排出し；
前記第４の空気流が前記サブクーリングコイルに接触するとき前記冷媒の流れから前記第４の空気流に熱を伝達する；
ように動作可能である、サブクーリングコイルと；
前記一次コンデンサであって：
コンプレッサから前記冷媒の流れを受け；
前記第４の空気流が前記一次コンデンサに接触するとき前記冷媒の流れから前記第４の空気流に熱を伝達する；
ように動作可能である、前記一次コンデンサと；
前記コンプレッサであって、前記一次エバポレータから前記冷媒の流れを受け且つ前記一次コンデンサに前記冷媒の流れを供給するように動作可能であり、前記一次コンデンサに供給される前記冷媒の流れは、前記コンプレッサで受けられる前記冷媒の流れより高い圧力を有する、前記コンプレッサと；
を有する、コンデンサユニット；を有する、
除湿システム。
（付記１０）  前記二次エバポレータ、前記一次エバポレータ、前記二次コンデンサ、および前記サブクーリングコイルからなるグループから選択される２以上の部材が単一のコイルパックに組み合わされる、
付記９に記載の除湿システム。
（付記１１）  前記一次エバポレータおよび前記二次エバポレータのうちの少なくとも１つは、前記冷媒の流れのための２以上の回路を有する、
付記９に記載の除湿システム。
（付記１２）  前記一次エバポレータおよび前記二次エバポレータのうちの少なくとも１つへの細分された前記冷媒の流れを供給するように動作可能な受動計量装置および能動計量装置のうちの少なくとも１つを有する、
付記１１に記載の除湿システム。
（付記１３）  前記一次計量装置および前記二次計量装置は、前記一次エバポレータおよび前記二次エバポレータのうちの少なくとも１つへの細分された前記冷媒の流れを供給するように動作可能である、
付記１１に記載の除湿システム。
（付記１４）  前記第２のファンは、前記第１のファンによって生成される前記第１の空気流の空気流量より約２倍から約５倍の間の空気流量で前記第４の空気流を生成するように動作可能である、
付記９に記載の除湿システム。
（付記１５）  前記二次計量装置は、実質的に開放状態で動作する、
付記９に記載の除湿システム。
（付記１６）  前記一次エバポレータおよび前記二次エバポレータのうちの少なくとも１つは、前記冷媒の流れのための２以上の回路を有する、
付記３に記載の除湿システム。
（付記１７）  前記一次エバポレータおよび前記二次エバポレータのうちの少なくとも１つへの細分された前記冷媒の流れを供給するように動作可能な受動計量装置および能動計量装置のうちの少なくとも１つを有する、
付記１６に記載の除湿システム。
（付記１８）  前記一次計量装置および前記二次計量装置は、前記一次エバポレータおよび前記二次エバポレータのうちの少なくとも１つへの細分された前記冷媒の流れを供給するように動作可能である、
付記１６に記載の除湿システム。
（付記１９）  前記一次エバポレータおよび前記二次エバポレータのうちの少なくとも１つは、前記冷媒の流れのための２以上の回路を有する、
付記１０に記載の除湿システム。
（付記２０）  前記一次エバポレータおよび前記二次エバポレータのうちの少なくとも１つへの細分された前記冷媒の流れを供給するように動作可能な受動計量装置および能動計量装置のうちの少なくとも１つを有する、
付記１９に記載の除湿システム。